(57)【要約】【課題】製造が容易であり、かつ、各スリットの最短経路長を等しい長さに近づけたフェイズプラグを提供する。【解決手段】凸部１００ａは、中心軸ａｘ側の壁面とは反対側の壁面に設けられている。凸部１００ａを設けた結果、開口端ａ２から先端ａ３までのスリット９１ｂの最短経路長は、凸部１００ａの断面形状である半円の円弧長から直径を差し引いた長さだけ増加する。そして、この増加分が開口端ａ１から先端ａ３までのスリット９１ａの最短経路長から凸部１００ａの設けられていない状態での開口端ａ２から先端ａ３までのスリット９１ｂの最短経路長を差し引いた長さに近くなるように、凸部１００ａの直径が定められている。従って、凸部１００ａが設けられた状態での開口端ａ２から先端ａ３までのスリット９１ｂの最短経路長は、開口端ａ１から先端ａ３までのスリット９１ａの最短経路長に近い。【選択図】  図１
2017139666.tif 000002
【特許請求の範囲】
【請求項１】
複数のスリットを有し、
前記複数のスリットの中の少なくとも一部のスリットに臨む壁面に凸部または凹部を設けた
ことを特徴とするフェイズプラグ。
【請求項２】
複数のスリットを有し、
前記複数のスリットの中の少なくとも一部のスリットに臨む壁面に凸部を設け、
前記凸部は、前記フェイズプラグから分離可能である
ことを特徴とするフェイズプラグ。
【請求項３】
複数のスリットを有し、
前記複数のスリットの中の少なくとも一部のスリットに臨む壁面に凸部を設け、
前記凸部を設けた壁面とスリットを挟んで対向する壁面に、前記凸部に対応する凹部を有する
ことを特徴とするフェイズプラグ。
【請求項４】
複数のスリットを有し、
前記複数のスリットの中の少なくとも一部のスリットに臨む壁面に凸部を設け、
スリットが当該フェイズプラグの軸方向に沿って湾曲しており、当該スリットの壁面において湾曲して凹んだ部分を埋める前記凸部が設けられている
ことを特徴とするフェイズプラグ。
【請求項５】
音波を空間に放射するホーンと、
請求項１〜４のいずれか１の請求項に記載のフェイズプラグと、
を有することを特徴とするホーンスピーカ。
【請求項６】
複数のスリットを有するフェイズプラグにおける前記複数のスリットの中の少なくとも一部のスリットに臨む壁面に凸部または凹部を設ける
ことを特徴とするフェイズプラグの製造方法。
【発明の詳細な説明】
【技術分野】
【０００１】
本発明は、ホーンスピーカ、フェイズプラグおよびその製造方法に関する。
【背景技術】
【０００２】
ホーンスピーカとは、音の指向性を良くするために、コンプレッションドライバにホーンを付加したものである。図５は、このコンプレッションドライバを有する従来のホーンスピーカ３を中心軸ａｘを含む平面で切断した縦断面図である。図５に示す構成のうちホーン８４を除いた部分がコンプレッションドライバである。図５に示すように、コンプレッションドライバのバックプレート８０の一端面には、ホーン８４のスロート部９４が固定されている。このバックプレート８０において、ホーン８４と反対側の端面にはポールピース８５の一底面が固定されている。そして、バックプレート８０とポールピース８５の中心には両者を貫いてホーン８４のスロート部９４に至る導音孔８３が設けられている。ポールピース８５においてバックプレート８０と反対側の底面は導音孔８３に向かってすり鉢状に凹んでおり、このすり鉢状の面にはフェイズプラグ８６が嵌め込まれている。このフェイズプラグ８６は、ホーンスピーカ３の中心軸ａｘに対して軸対称な形状を有する。また、このフェイズプラグ８６には、中心軸ａｘに対して軸対称に複数のスリット９１が形成されている。ここで、スリット９１とは、フェイズプラグ８６の背後の空間とフェイズプラグ８６の正面の空間（すなわち、導音孔８３）とを連通させる細長い空間のことである。そして、フェイズプラグ８６の背後には一定間隔を開けてダイアフラム８７が支持されている。このダイアフラム８７は、ドーム状に湾曲した略半真球形状をしており、その外周部に筒状のボイスコイルボビン８８が設けられている。
【０００３】
バックプレート８０におけるホーン８４と反対側の端面には、バックプレート８０と同じ直径の環状マグネット８２とトッププレート８１があり、環状マグネット８２は、バックプレート８０とトッププレート８１との間に挟まれ支持されている。環状マグネット８２は、一方の底面（例えばバックプレート８０側の底面）にＮ極があり、他方の底面（例えばトッププレート８１側の底面）にＳ極がある。
【０００４】
トッププレート８１の内周面は、微小な間隔を空けてポールピース８５の外周面と対向している。そして、バックプレート８０と、環状マグネット８２と、トッププレート８１と、フェイズプラグ８６と、ポールピース８５とは、環状マグネット８２が発生した磁力線を一巡させる磁気回路を構成する。ダイアフラム８７は、この磁気回路において、トッププレート８１の内周面とポールピース８５の外周面との間にある磁気ギャップＡＧに周端のボイスコイルボビン８８を収めた状態で支持されている。
【０００５】
ダイアフラム８７を支持する構成は次の通りである。まず、トッププレート８１の環状マグネット８２と反対側の端面には、スペーサリング９０が固定されている。このスペーサリング９０の内周面とダイアフラム８７の外周部との間にはエッジ８９が介在している。このエッジ８９がダイアフラム８７を支持する役割を果たす。
【０００６】
以上のような構成を有するホーンスピーカ３では、環状マグネット８２の発生した磁束がトッププレート８１とポールピース８５との間の磁気ギャップＡＧを通過する。そして、ボイスコイルボビン８８におけるボイスコイルに電流を流すと、ボイスコイルボビン８８には、ホーンスピーカ３の中心軸ａｘに平行な方向の駆動力が与えられ、ボイスコイルボビン８８に固定されたダイアフラム８７が振動する。ダイアフラム８７が振動すると、この振動により、ダイアフラム８７とフェイズプラグ８６との間の空間ＯＳの空気がフェイズプラグ８６の各スリット９１を介して導音孔８３に押し出されたり引き戻されたりする。そして、この押し出されたり引き戻されたりする空気の粗密波が、音波として導音孔８３を経由し、ホーン８４から放音される。
【０００７】
ダイアフラム８７が振動することで空間ＯＳにおいて発生した音波は、フェイズプラグ８６の各スリット９１の空間ＯＳ側開口端から各スリット９１を経由してフェイズプラグ８６のホーン８４側先端に伝搬し、各音波はフェイズプラグ８６のホーン８４側先端で合流した後、導音孔８３を経由し、ホーン８４から放音される。
【０００８】
フェイズプラグ８６の最外周のスリット９１ａの空間ＯＳ側開口端は、図５では開口端ａ１およびｂ１である。さらに、フェイズプラグ８６の最外周から２番目のスリット９１ｂの空間ＯＳ側開口端は、図５では開口端ａ２およびｂ２である。さらに、フェイズプラグ８６のホーン８４側先端の最外周部分は、図５では先端ａ３およびｂ３であり、中心軸ａｘ上のフェイズプラグ８６のホーン８４側先端は、先端ｃ３である。ここで、空間ＯＳにおいて発生し、フェイズプラグ８６の各スリット９１を経由した各音波がフェイズプラグ８６のホーン８４側先端において合流する際に、各スリット９１を経由した各音波の位相が揃っていないと、各音波が互いに打ち消し合い、ホーン８４から放音される音の音響特性が悪化する。例えば、空間ＯＳにおいて発生し、開口端ａ１からスリット９１ａを経由して先端ａ３に達した音波の先端ａ３における位相と、同様に空間ＯＳにおいて発生し、開口端ａ２からスリット９１ｂを経由して先端ａ３に達した音波の先端ａ３における位相とが半波長ずれていると、各音波が互いに打ち消し合い、ホーン８４から放音される音の音響特性が悪化する。このような位相のずれを防止するために、ホーンスピーカ３では、フェイズプラグ８６の各スリット９１の最短経路長、すなわち、各スリット９１の空間ＯＳ側開口端からホーン８４側先端までの各スリット９１の壁面に沿った最短距離が等しいことが望ましい。図５の例では、開口端ａ１から先端ａ３までのスリット９１ａの最短経路長と、開口端ａ２から先端ａ３までのスリット９１ｂの最短経路長と、開口端ａ２から先端ｃ３までのスリット９１ｂの最短経路長と、開口端ｂ２から先端ｃ３までのスリット９１ａの最短経路長と、開口端ｂ２から先端ｂ３までのスリット９１ｂの最短経路長と、開口端ｂ１から先端ｂ３までのスリット９１ａの最短経路長とは全て等しくなっていることが望ましい。
【先行技術文献】
【特許文献】
【０００９】
【特許文献１】米国特許第８１２１３３０号明細書
【発明の概要】
【発明が解決しようとする課題】
【００１０】
しかしながら、フェイズプラグ８６は完全な半球状ではなく、図５に例示するように、中心軸ａｘ方向に圧縮された扁平な半回転楕円体形状をなしているものが多い。また、フェイズプラグ８６は、空間ＯＳにおいて発生した音波を中心軸ａｘ付近に集めてホーン８４に放射するものであるため、スリット９１ａおよび９１ｂのホーン８４側の出口を中心軸ａｘ付近に位置させる必要がある。このため、図５に例示するような扁平な形状のフェイズプラグ８６では、中心軸ａｘに近い方のスリット９１ｂの最短経路長が、中心軸ａｘから遠い方のスリット９１ａの最短経路長よりも短くなる。
【００１１】
特許文献１に開示の技術では、フェイズプラグのスリットに臨む壁面を曲面にすることで、フェイズプラグの各スリットの最短経路長を等しくしている。しかし、スリットに臨む壁面が曲面であり、かつ、各スリットの最短経路長が等しいフェイズプラグは、製造が困難であるという問題がある。
【００１２】
本発明は以上に説明した課題に鑑みて為されたものであり、製造が容易であり、かつ、各スリットの最短経路長を等しい長さに近づけたフェイズプラグを提供することを目的とする。
【課題を解決するための手段】
【００１３】
上記課題を解決するために本発明は、複数のスリットを有し、複数のスリットの中の少なくとも一部のスリットに臨む壁面に凸部または凹部を設けたことを特徴とするフェイズプラグを提供する。
【００１４】
本発明によるフェイズプラグでは、複数のスリットの中の少なくとも一部のスリットに臨む壁面、すなわち複数のスリットの中の少なくとも一部のスリットを形成する壁面に凸部または凹部を設け、この凸部または凹部により、複数のスリットの一方の開口端から他方の開口端までの壁面に沿った最短距離を等しい長さに近づけた。このため、本発明のフェイズプラグは、放音される音の音響特性を改善することができる。また、本発明によれば、凸部または凹部を設けることにより複数のスリットの最短距離を等しい長さに近づけるので、スリットに臨む壁面を曲面にして複数のスリットの最短距離を等しい長さに近づける場合に比べてフェイズプラグの製造が容易である利点がある。
【００１５】
好ましい態様において、フェイズプラグは、複数のスリットを有し、複数のスリットの中の少なくとも一部のスリットに臨む壁面に凸部を設け、凸部は、前記フェイズプラグから分離可能である。
【００１６】
この態様によれば、凸部は、フェイズプラグと分離可能であるので、凸部の無い従来のフェイズプラグに凸部を設けることで、本発明のフェイズプラグを製造することができる。このため、各スリットの最短距離を等しい長さに近づけたフェイズプラグの製造がより容易となる。
【００１７】
好ましい態様において、フェイズプラグは、複数のスリットを有し、複数のスリットの中の少なくとも一部のスリットに臨む壁面に凸部を設け、凸部を設けた壁面とスリットを挟んで対向する壁面に、凸部に対応する凹部を有する。
【００１８】
この態様によれば、凸部を設けた壁面とスリットを挟んで対向する壁面に、凸部に対応する凹部を有するため、凸部により生じる音波の伝搬経路の断面積の減少を凹部により補うことができる。従って、スリットの開口端からホーン側に向かう方向に音波が伝搬される際に、スリットに沿った音波の伝搬経路の断面積の変化を凸部および凹部を設ける前と同様にすることができる。このため、フェイズプラグの各スリットと導音孔とのインピーダンス整合が取り易くなり、放音される音の音響特性をより改善することができる。
【００１９】
他の好ましい態様において、複数のスリットを有し、複数のスリットの中の少なくとも一部のスリットに臨む壁面に凸部を設け、スリットが当該フェイズプラグの軸方向に沿って湾曲しており、スリットの壁面において湾曲して凹んだ部分を埋める凸部が設けられている。
【００２０】
設計上の都合により、スリットをフェイズプラグの軸方向に沿って湾曲させなければならない場合がある。この場合、湾曲したスリットの一方の開口端から他方までの壁面に沿った最短距離は、他のスリットの最短距離に比べて長い。この態様によれば、スリットがフェイズプラグの軸方向に沿って湾曲している場合に、湾曲したスリットに臨む壁面において湾曲して凹んだ部分を埋める凸部を設けることで、湾曲したスリットの最短距離を短くし、他のスリットの最短距離と等しい長さに近づけることができる。このため、この態様のフェイズプラグは、放音される音の音響特性を改善することができる。フェイズプラグは、上記の凸部や凹部を備えた状態のものを成形等により製造してもよいが、上記の凹部や凸微を有しない状態のフェイズプラグを製造し、その後、上記の凹部や凸部をフェイズプラグに設けてもよい。
【００２１】
本発明の別の態様としては、音波を空間に放射するホーンと、上記各態様のいずれかのフェイズプラグと、を有するホーンスピーカを提供する。
【図面の簡単な説明】
【００２２】
【図１】この発明の第１実施形態であるホーンスピーカ１を中心軸ａｘを含む平面で切断した縦断面図である。
【図２】この発明の第２実施形態であるホーンスピーカ２を中心軸ａｘを含む平面で切断した縦断面図である。
【図３】変形例（７）を説明するための図である。
【図４】変形例（８）を説明するための図である。
【図５】従来のホーンスピーカ３を中心軸ａｘを含む平面で切断した縦断面図である。
【発明を実施するための形態】
【００２３】
以下、図面を参照しつつ本発明の実施の形態について説明する。
＜第１実施形態＞
図１は、この発明の第１実施形態であるホーンスピーカ１を中心軸ａｘを含む平面で切断した縦断面図である。本実施形態によるホーンスピーカ１では、従来のホーンスピーカ３（図５参照）におけるフェイズプラグ８６がフェイズプラグ９６に置き換えられている。このフェイズプラグ９６は、フェイズプラグ８６のスリット９１に臨む壁面に凸部を設けた構成となっている。ここで、凸部とは、スリット９１に臨む壁面から盛り上がった部位である。この例では、フェイズプラグ９６のスリット９１に臨む壁面に、フェイズプラグ９６の中心軸ａｘ廻りに軸対称なリング状の凸部１００ａおよび１００ｂが設けられている。ここで、フェイズプラグ９６と凸部１００ａおよび１００ｂとは一体化している。これ以外はホーンスピーカ１とホーンスピーカ３は同一である。従って、図１において、図５に示されたものと同一の構成要素には同一の符号を付けて、その説明を省略する。以下では凸部１００ａおよび１００ｂを中心に説明する。
【００２４】
図１に示すホーンスピーカ１において、フェイズプラグ９６を中心軸ａｘを含む平面で切断すると、凸部１００ａおよび１００ｂの断面形状は半円となる。凸部１００ａは、スリット９１ｂに臨む壁面のうち、中心軸ａｘ側の壁面とは反対側の壁面に設けられている。凸部１００ａを設けた結果、開口端ａ２から先端ａ３までのスリット９１ｂの最短経路長は、凸部１００ａの断面形状である半円の円弧長から直径を差し引いた長さだけ増加する。そして、本実施形態では、この開口端ａ２から先端ａ３までのスリット９１ｂの最短経路長の増加分が開口端ａ１から先端ａ３までのスリット９１ａの最短経路長から凸部１００ａの設けられていない状態での開口端ａ２から先端ａ３までのスリット９１ｂの最短経路長を差し引いた長さに近くなるように、凸部１００ａの直径が定められている。従って、凸部１００ａが設けられた状態での開口端ａ２から先端ａ３までのスリット９１ｂの最短経路長は、開口端ａ１から先端ａ３までのスリット９１ａの最短経路長に近い。
【００２５】
同様に、凸部１００ｂを設けた結果、開口端ａ２から先端ｃ３までのスリット９１ｂの最短経路長は、凸部１００ｂの断面形状である半円の円弧長から直径を差し引いた長さだけ増加する。そして、本実施形態では、この開口端ａ２から先端ｃ３までのスリット９１ｂの最短経路長の増加分が開口端ａ１から先端ａ３までのスリット９１ａの最短経路長から凸部１００ｂの設けられていない状態での開口端ａ２から先端ｃ３までのスリット９１ｂの最短経路長を差し引いた長さに近くなるように、凸部１００ｂの直径が定められている。従って、凸部１００ｂが設けられた状態での開口端ａ２から先端ｃ３までのスリット９１ｂの最短経路長は、開口端ａ１から先端ａ３までのスリット９１ａの最短経路長に近い。
【００２６】
そして、本実施形態におけるフェイズプラグ９６は、中心軸ａｘ廻りに軸対称な構成となっている。従って、本実施形態では、開口端ａ１から先端ａ３までのスリット９１ａの最短経路長、開口端ａ２から先端ａ３までのスリット９１ｂの最短経路長、開口端ａ２から先端ｃ３までのスリット９１ｂの最短経路長、開口端ｂ２から先端ｃ３までのスリット９１ｂの最短経路長、開口端ｂ２から先端ｂ３までのスリット９１ｂの最短経路長、開口端ｂ１から先端ｂ３までのスリット９１ｂの最短経路長の全てが互いに近い長さとなる。従って、本実施形態によれば、ホーン８４から放音される音の音響特性が改善される。
【００２７】
そして、特許文献１に開示の技術のように、スリット９１に臨む壁面の曲面形状を最適化して各スリット９１の最短経路長を等しくすることに比べ、以上説明した本実施形態のように、スリット９１に臨む壁面に凸部１００ａおよび１００ｂを設けて各スリット９１の最短経路長を等しい長さに近づける方が容易である。このため、各スリット９１の最短経路長を等しい長さに近づけたフェイズプラグ９６の製造が容易となる。
【００２８】
なお、本実施形態では、図１に示すように、フェイズプラグ９６を中心軸ａｘを含む平面で切断した場合の凸部１００ａおよび１００ｂの断面形状を半円としたが、凸部１００ａおよび１００ｂの断面形状は半円に限られない。フェイズプラグ９６の各スリット９１の最短経路長を等しい長さに近づけることができれば、フェイズプラグ９６を中心軸ａｘを含む平面で切断した際の凸部１００ａおよび１００ｂの断面形状はどのような形状であってもよい。さらに、凸部１００ａおよび１００ｂの素材は、ホーンスピーカ１の使用周波数帯域の音波に対して透過性を有さない素材であることが好ましい。ダイアフラム８７の振動により空間ＯＳで発生した音波が凸部１００ａおよび１００ｂをすり抜けて通過すると、空間ＯＳにおいて発生した音波がフェイズプラグ９６のホーン８４側先端において合流した際に、各スリット９１を経由した各音波の位相が揃わず、各音波が互いに打ち消し合い、ホーン８４から放音される音の音響特性が悪化するからである。
【００２９】
＜第２実施形態＞
図２は、この発明の第２実施形態であるホーンスピーカ２を中心軸ａｘを含む平面で切断した縦断面図である。本実施形態によるホーンスピーカ２では、ホーンスピーカ１（図１参照）におけるフェイズプラグ９６がフェイズプラグ９８に置き換えられている。このフェイズプラグ９８は、フェイズプラグ９６のスリット９１に臨む壁面に凹部を設けた構成となっている。ここで、凹部とは、スリット９１に臨む壁面から凹んだ部位である。この例では、フェイズプラグ９６のスリット９１に臨む壁面に、フェイズプラグ９６の中心軸ａｘ廻りに軸対称なリング状の溝である凹部１１０ａおよび１１０ｂが、凸部１００ａおよび１００ｂに対向して設けられている。これ以外はホーンスピーカ２とホーンスピーカ１は同一である。従って、図２において、図１に示されたものと同一の構成要素には同一の符号を付けて、その説明を省略する。以下では凹部１１０ａおよび１１０ｂを中心に説明する。
【００３０】
図２に示すホーンスピーカ２において、フェイズプラグ９８を中心軸ａｘを含む平面で切断すると、凹部１１０ａおよび１１０ｂの断面形状は半円となる。凹部１１０ａの半径は凸部１００ａの半径と等しく、凹部１１０ｂの半径は凸部１１０ａの半径と等しい。凹部１１０ａは、スリット９１ｂに臨む壁面のうち、凸部１００ａが設けられた壁面と対向する壁面に、凸部１００ａに対応するように設けられている。凸部１００ａおよび凹部１１０ｂを設けた結果、開口端ａ２から先端ａ３までのスリット９１ｂの最短経路長は、凸部１００ａの断面形状である半円の円弧長から直径を差し引いた長さと、凹部１１０ｂの断面形状である半円の円弧長から直径を差し引いた長さとの合計の長さだけ増加する。そして、本実施形態では、この開口端ａ２から先端ａ３までのスリット９１ｂの最短経路長の増加分が開口端ａ１から先端ａ３までのスリット９１ａの最短経路長から凸部１００ａおよび凹部１１０ｂの設けられていない状態での開口端ａ２から先端ａ３までのスリット９１ｂの最短経路長を差し引いた長さに近くなるように、凸部１００ａおよび凹部１１０ｂの直径が定められている。従って、凸部１００ａおよび凹部１１０ｂが設けられた状態での開口端ａ２から先端ａ３までのスリット９１ｂの最短経路長は、開口端ａ１から先端ａ３までのスリット９１ａの最短経路長に近い。
【００３１】
同様に、凸部１００ｂおよび凹部１１０ａを設けた結果、開口端ａ２から先端ｃ３までのスリット９１ｂの最短経路長は、凸部１００ｂの断面形状である半円の円弧長から直径を差し引いた長さと、凹部１１０ａの断面形状である半円の円弧長から直径を差し引いた長さの合計の長さだけ増加する。そして、本実施形態では、この開口端ａ２から先端ｃ３までのスリット９１ｂの最短経路長の増加分が開口端ａ１から先端ａ３までのスリット９１ａの最短経路長から凸部１００ｂおよび凹部１１０ａの設けられていない状態での開口端ａ２から先端ｃ３までのスリット９１ｂの最短経路長を差し引いた長さに近くなるように、凸部１００ｂおよび凹部１１０ａの直径が定められている。従って、凸部１００ｂおよび凹部１１０ａが設けられた状態での開口端ａ２から先端ｃ３までのスリット９１ｂの最短経路長は、開口端ａ１から先端ａ３までのスリット９１ａの最短経路長に近い。
【００３２】
そして、本実施形態におけるフェイズプラグ９８は、中心軸ａｘ廻りに軸対称な構成となっている。従って、本実施形態では、開口端ａ１から先端ａ３までのスリット９１ａの最短経路長、開口端ａ２から先端ａ３までのスリット９１ｂの最短経路長、開口端ａ２から先端ｃ３までのスリット９１ｂの最短経路長、開口端ｂ２から先端ｃ３までのスリット９１ｂの最短経路長、開口端ｂ２から先端ｂ３までのスリット９１ｂの最短経路長、開口端ｂ１から先端ｂ３までのスリット９１ｂの最短経路長の全てが互いに近い長さとなる。従って、本実施形態によれば、ホーン８４から放音される音の音響特性が改善される。
【００３３】
そして、特許文献１に開示の技術のように、スリット９１に臨む壁面の曲面形状を最適化して各スリット９１の最短経路長を等しくすることに比べ、以上説明した本実施形態のように、スリット９１に臨む壁面に凸部１００ａおよび１００ｂと凹部１００ａおよび１００ｂを設けて各スリット９１の最短経路長を等しい長さに近づける方が容易である。このため、各スリット９１の最短経路長を等しい長さに近づけたフェイズプラグ９８の製造が容易となる。
【００３４】
さらに、ホーンスピーカ２では、凹部１１０ａは、凸部１００ａが設けられた壁面とスリット９１ｂを挟んで対向する壁面に凸部１００ａに対応するように設けられており、凹部１１０ｂは凸部１００ｂが設けられた壁面とスリット９１ｂを挟んで対向する壁面に凸部１１０ｂに対応するように設けられている。従って、凸部１００ａおよび１００ｂの各々により生じる音波の伝搬経路の断面積の減少を凹部１１０ａおよび１１０ｂの各々により補うことができる。このため、スリット９１の空間ＯＳ側開口端から音波がホーン８４に向かって伝搬される際に、スリット９１ｂに沿った音波の伝搬経路の断面積の変化を凹部１１０ａおよび１１０ｂと凸部１００ａおよび１００ｂを設ける前と同様にすることができる。したがってフェイズプラグ９８の各スリット９１と導音孔８３とのインピーダンス整合が取り易くなり、ホーン８４から放音される音の音響特性をより改善することができる。
【００３５】
＜変形例＞
（１）上記各実施形態において、凸部１００ａおよび１００ｂは、フェイズプラグの各スリット９１に臨む壁面にフェイズプラグと一体となって設けられていたが、両者が分離していてもよい。この場合、リングである凸部１００ａおよび１００ｂをフェイズプラグのホーン８４側からフェイズプラグに嵌め込み、接着剤等で固定することで上記各実施形態のフェイズプラグとする。このため、凸部１００ａおよび１００ｂの無い従来のフェイズプラグに対して、凸部１００ａおよび１００ｂを嵌め込み接着剤等で固定することでフェイズプラグを製造することができ、各スリット９１の最短経路長を等しい長さに近づけたフェイズプラグの製造がより容易となる。
【００３６】
（２）上記各実施形態では、凸部１００ａおよび１００ｂの２つがフェイズプラグのスリット９１に臨む壁面に設けられていたが、これに限られることはない。例えば、凸部１００ａ、１００ｂおよび１００ｃの３つがフェイズプラグのスリット９１に設けられていてもよい。さらに、上記各実施形態では、凸部１００ａおよび１００ｂは、スリット９１ｂに臨む壁面に設けられていたが、スリット９１ａに臨む壁面にも設けられていてもよい。凸部１００ａおよび１００ｂをスリット９１に臨む壁面に設けることにより、フェイズプラグの各スリット９１の最短経路長を等しい長さに近づけることができれば、凸部１００ａおよび１００ｂを設けるスリット９１に臨む壁面の場所はどこでもよい。さらに、上記各実施形態では、凸部１００ａおよび１００ｂは中心軸ａｘに軸対称であったが、これに限られない。例えば、第１実施形態において、スリット９１ｂに臨む壁面に凸部１００ｂを設けたフェイズプラグ９６を中心軸ａｘを含む平面で切断すると、凸部１００ｂのホーン８４側はフェイズプラグの先端ｃ３付近に存在し、凸部１００ｂの空間ＯＳ側はフェイズプラグの開口端ａ２付近に存在していてもよい。この場合、凸部１００ｂは中心軸ａｘに対して斜めに傾いた形状となる。このように、フェイズプラグの各スリット９１の最短経路長が等しい長さに近づくように凸部１００ａおよび１００ｂを設けることができれば、凸部の数、凸部１００ａおよび１００ｂが設けられる場所或いは凸部１００ａおよび１００ｂの形状等はどのようなものであってもよい。なお、第２実施形態の凹部１１０ａおよび１００ｂは、凸部の数、凸部１００ａおよび１００ｂが設けられる場所および凸部１００ａおよび１００ｂの形状等に応じてスリット９１に臨む壁面に適宜設けられるとよい。
【００３７】
（３）上記各実施形態では、スリット９１ａに比べて最短経路長が短いスリット９１ｂに臨む壁面に凸部や凹部が設けられていたが、スリット９１ａに臨む壁面とスリット９１ｂに臨む壁面との両方に凸部や凹部が設けられ、各スリット９１の最短経路長を等しい長さに近づけてもよい。この場合、フェイズプラグを中心軸ａｘを含む平面で切断した際のスリット９１ａに設けた凸部や凹部の断面形状である半円の円弧長は、同様の際のスリット９１ｂに設けた凸部や凹部の断面形状である半円の円弧長よりも短い。
【００３８】
（４）ホーンスピーカには、ダイアフラム８７の音放射面が放音方向に対して凸状に湾曲しているフロントタイプと、ダイアフラム８７の音放射面が放音方向に対して凹状に湾曲しているリアタイプとがある。上記各実施形態のホーンスピーカは全てリアタイプであったが、本発明をフロントタイプのホーンスピーカに適用してもよい。
【００３９】
（５）上記各実施形態において、コンプレッションドライバ単体の生産、使用、譲渡、貸渡し、輸出、輸入、譲渡または貸渡しの申出（以下、「生産等」と呼ぶ）をしてもよい。また、上記各実施形態のホーンスピーカからホーン８４を除いて、フェイズプラグ単体の生産等をしてもよい。
【００４０】
（６）上記各実施形態では、複数のスリット９１のうち最短経路長の最も短いスリット９１ｂに臨む壁面に凸部や凹部を設けた。しかし、複数のスリットの最短経路長が３種類以上ある場合には、最短経路長が最長であるものを除いた複数のスリットに臨む壁面に凸部や凹部を設けて、各スリットの最短経路長を等しい長さに近づけてもよい。あるいは複数のスリットの全てについて、各スリットに臨む壁面に凸部や凹部を設け、各凸部や各凹部の大きさを調整することにより、各スリットの最短経路長を等しい長さに近づけてもよい。
【００４１】
（７）上記各実施形態では、複数のスリット９１のうち最短経路長が最も短く、中心軸ａｘに沿って湾曲していないスリット９１ｂに臨む壁面に凸部や凹部を設けたが、中心軸ａｘに沿って湾曲しているスリットに臨む壁面に凸部や凹部を設けてもよい。例えば図３に示すように、複数のスリット９１のうち最短経路長の最も長いスリット９１ａが中心軸ａｘに沿って湾曲しており、この湾曲によりスリット９１ａの最短経路長が最も長くなっている場合、このスリット９１ａに臨む壁面において湾曲して凹んだ部分を埋めるように凸部１００ａおよび１００ｂを設けることで、このスリット９１ａの最短経路長を短くし、各スリット９１の最短経路長を等しい長さに近づけてもよい。ここで、凸部１００ａおよび１００ｂは、フェイズプラグ９６を構成する素材と同種の素材であってもよいし、異種の素材であってもよい。
【００４２】
（８）上記各実施形態では、複数のスリット９１のうち最短経路長が最も短いスリット９１ｂに凸部や凹部を設けたが、経路長が最短でないスリットに凹部のみを設けてもよい。例えば図４に示すように、複数のスリット９１のうち最短経路長の最も長いスリット９１ａがスリット９１ａに臨む壁面において突出しており、この突出によりスリット９１ａの最短経路長が最も長くなっている場合、この突出部分に凹部１１０ａおよび１１０ｂを設けることで、このスリット９１ａの最短経路長を短くし、各スリット９１の最短経路長を等しい長さに近づけてもよい。
【符号の説明】
【００４３】
１，２，３……ホーンスピーカ、８０……バックプレート、８１……トッププレート、８２……環状マグネット、８３……導音孔、８４……ホーン、８５……ポールピース、８６，９６，９８……フェイズプラグ、８７……ダイアフラム、８８……ボイスコイルボビン、８９……エッジ、９０……スペーサリング、９１……スリット、９１ａ……最外周のスリット、９１ｂ……最外周から２番目のスリット、９４……スロート部、９５……バックカバー、１００ａ，１００ｂ……凸部、１１０ａ，１１０ｂ……凹部、ａｘ……中心軸、ＯＳ……空間、ＡＧ……磁気ギャップ、ＢＣ……バックキャビティ、ａ１，ａ２，ｂ１，ｂ２……開口端、ａ３，ｂ３，ｃ３……先端。
【図１】
2017139666.tif 000003
【図２】
2017139666.tif 000004
【図３】
2017139666.tif 000005
【図４】
2017139666.tif 000006
【図５】
2017139666.tif 000007